(57)【要約】【課題】圧電ブザーを用いたとしても聞き取りやすい音声警報を発報できる火災警報器を提供する。【解決手段】下面が天井や壁等に取り付けられる警報器ボディ１と、この警報器ボディ１の上面から突出して設けられ火災要因の感知手段を具備する感知室７と、感知室７の上面に設けられるブザー室４と、ブザー室４内に設けられ火災検知時に音声警報を鳴動する圧電ブザー５と、ブザー室４の上方を覆うカバー部６とを備えた火災警報器において、カバー部６は、圧電ブザー５からの鳴動音を外部へと放出するための音孔Ｈをその上面に有しており、この音孔Ｈは、圧電ブザー５の鳴動部５１に対向する位置よりも外側にのみ設けられている。【選択図】図１
2008310757.tif 000002
【特許請求の範囲】
【請求項１】
下面が天井や壁等に取り付けられる警報器ボディと、この警報器ボディの上面から突出して設けられ火災要因の感知手段を具備する感知室と、感知室の上面に設けられるブザー室と、ブザー室内に設けられ火災検知時に音声警報を鳴動する圧電ブザーと、ブザー室の上方を覆うカバー部とを備えた火災警報器において、
カバー部は、圧電ブザーからの鳴動音を外部へと放出するための音孔をその上面に有しており、この音孔は、圧電ブザーの鳴動部に対向する位置よりも外側にのみ設けられていることを特徴とする火災警報器。
【請求項２】
下面が天井や壁等に取り付けられる警報器ボディと、この警報器ボディの上面から突出して設けられ火災要因の感知手段を具備する感知室と、感知室の上面に設けられるブザー室と、ブザー室内に設けられ火災検知時に音声警報を鳴動する圧電ブザーと、ブザー室の上方を覆うカバー部とを備えた火災警報器において、
カバー部はブザー室の上方覆おうことでブザー室の上面を閉鎖しており、ブザー室には、その側面にのみ音孔が設けられており、圧電ブザーからの鳴動音が、音孔を通ることでブザー室の側面から外部へと放出するようにしたことを特徴とする火災警報器。
【発明の詳細な説明】
【技術分野】
【０００１】
本願発明は、煙や熱等を感知することで火災検知して、警報音を鳴動する火災警報器に関するものである。
【背景技術】
【０００２】
従来から、特開２００３−２８１６４１号公報（特許文献１）に示されるように、煙や熱を感知することで火災検知して、警報音を鳴動する火災警報器は知られている。このものは、図５に示すように、ハウジング９１内にラビリンス室９２が設けられ、ラビリンス室９２内の煙感知部９３で煙を感知することで火災検知を行なっている。また、ラビリンス室９２の下方には圧電ブザー９４が設けられており、圧電ブザー９４の中心から直下に位置するハウジング９１の下面にはブザー用孔９５が設けられている。この火災警報器は、ハウジング９１の上面が天井面や壁等に取り付けられ、火災検知した際は、圧電ブザー９４から出力された警報音がブザー用孔９５から外部へと放出されるようになっている。
【特許文献１】特開２００３−２８１６４１号公報
【発明の開示】
【発明が解決しようとする課題】
【０００３】
ところで、近年、火災警報の内容を詳細に報知するために、火災検知時に音声警報を発報することが求められている。しかしながら、上記従来例のように警報発報手段として圧電ブザーを用いた火災警報器において、音声警報を発報させる場合は、圧電ブザー特有の高調音が生じたり音声がざらつく等の問題があり、近くにいる人が警報の内容を聞き取れないおそれがあった。
【０００４】
この問題は、圧電ブザーの代わりに動電式のスピーカを用いることによっても解決されるが、この場合は、圧電ブザーを用いるのに比べて電力消費が増加するという問題があった。
【０００５】
本願発明は、上記背景技術に鑑みて発明されたものであり、その課題は、警報発報手段として圧電ブザーを用いたとしても聞き取りやすい音声警報を発報できる火災警報器を提供することである。
【課題を解決するための手段】
【０００６】
上記課題を解決するために、本願請求項１記載の発明では、下面が天井や壁等に取り付けられる警報器ボディと、この警報器ボディの上面から突出して設けられ火災要因の感知手段を具備する感知室と、感知室の上面に設けられるブザー室と、ブザー室内に設けられ火災検知時に音声警報を鳴動する圧電ブザーと、ブザー室の上方を覆うカバー部とを備えた火災警報器において、カバー部は、圧電ブザーからの鳴動音を外部へと放出するための音孔をその上面に有しており、この音孔は、圧電ブザーの鳴動部に対向する位置よりも外側にのみ設けられていることを特徴としている。
【０００７】
又、本願請求項２記載の発明では、下面が天井や壁等に取り付けられる警報器ボディと、この警報器ボディの上面から突出して設けられ火災要因の感知手段を具備する感知室と、感知室の上面に設けられるブザー室と、ブザー室内に設けられ火災検知時に音声警報を鳴動する圧電ブザーと、ブザー室の上方を覆うカバー部とを備えた火災警報器において、カバー部はブザー室の上方覆おうことでブザー室の上面を閉鎖しており、ブザー室には、その側面にのみ音孔が設けられており、圧電ブザーからの鳴動音が、音孔を通ることでブザー室の側面から外部へと放出するようにしたことを特徴としている。
【発明の効果】
【０００８】
本願請求項１記載の火災警報器においては、音孔が圧電ブザーの鳴動部に対向する位置よりも外側にのみ設けられた構造であるため、圧電ブザーからの鳴動音がカバー部で反射してブザー室内にこもってから外部へと放出されることにより、高調音や音のざらつきを抑制した聞き取りやすい音声警報を鳴動させることができる。
【０００９】
本願請求項２記載の火災警報器においては、ブザー室の上方がカバー部で覆われると共に、カバー部の側面から鳴動音を放出するようにしているため、請求項１と同様に、圧電ブザーからの鳴動音がカバー部で反射してブザー室内にこもってから外部へと放出されることにより、高調音や音のざらつきを抑制した聞き取りやすい音声警報を鳴動させることができる。更に、この火災警報器においては、カバー部の側面から鳴動音を放出するため、より広い範囲に鳴動音を行きわたらせることができる。
【発明を実施するための最良の形態】
【００１０】
図１、２は、第一の実施形態である火災警報器を示している。この火災警報器は、感知室７内に流入した煙を感知しており、所定の閾値以上の煙量を感知した場合に火災とみなして、音声警報を圧電ブザー５から鳴動させるものである。
【００１１】
以下、この火災警報器の具体的な構造を記す。図２に示すように、この火災警報器は、下面が天井や壁等に取り付けられる警報器ボディ１と、感知室７から伝送された煙感知信号を監視して閾値を超えたときに火災発報信号を出力するマイコン等の回路部品が実装される回路基板２と、発光ダイオードやフォトダイオード等（不図示）の煙感知手段を具備して流入した煙を感知する感知室７と、火災検知時等に音声警報を発報する圧電ブザー５を内包したブザー室４と、圧電ブザー５及び感知室７を上方から覆うカバー部６とで構成される。なお、図２の分解斜視図は天地が逆になっており、紙面下方側が天井面等に取り付けられる側となるが、ここでは、紙面上方を上方向、紙面下方を下方向として説明する。
【００１２】
感知室７は、発光ダイオードやフォトダイオード等の煙感知手段を具備した光学基台７１の上方から、虫や埃等の流入を防止する防虫カバー３が被さって構成されている。感知室７内に煙が流入すると発光ダイオードからの出射光が煙で乱反射し、フォトダイオードで受光されることにより煙感知がなされる。そして、煙検知がなされると、受光量に応じた煙感知信号が回路基板２へと伝送されるようになっている。
【００１３】
防虫カバー３の上端部分は、円形上面の周縁から周壁４１が突出した箱体になっており、この箱体がブザー室４となる。ブザー室４には圧電ブザー５が収容され、ブザー室４の上面にはブザー室４を密閉するように保護カバーが覆っている。圧電ブザー５は、圧電体及び振動板からなる鳴動部５１が中央に設けられた円盤形状のものであり、出力される鳴動音は鳴動部５１から上方に放出される。
【００１４】
保護カバーのカバー上面６１には、円弧状の音孔Ｈが、同心円を形成するように等間隔に複数設けられており、この音孔Ｈの位置は、下方に収容された圧電ブザー５の鳴動部５１に対向する面を外側から囲むように配置されている。そして、ブザー室４の上面及び側面は、音孔Ｈ以外の隙間は設けられておらず、保護カバーのカバー上面６１及び周壁４１でほぼ密閉される構造となっている。なお、音孔Ｈは幅１ｍｍ程度のものであるが、この寸法に限定されるものではない。
【００１５】
このように、音孔Ｈをブザーの鳴動部５１よりも外側に対応する位置にのみ設けることで、大部分の鳴動音はカバー上面６１の裏面で反射して、ブザー室４内にこもってから音孔Ｈを通り外部へと放出されるため、音のざらつきがなく聞き取りやすい音声警報を発報することができる。また、比較的周波数の高い（例えば４ｋＨｚ以上）高調音は、低周波数の音よりも透過性が低いため、カバー上面６１の裏面で反射させることにより抑制することができる。したがって、特に高齢者には聞き取り難い音となる高調音を抑制することで、更に聞き取り易い音声警報を発報することができる。
【００１６】
図３、４は、第二の実施形態である火災警報器を示している。なお、ここでは、上記第一の実施形態と相違する事項についてのみ説明し、その他の事項（構成、作用効果等）については、上記第一の実施形態と同様であるのでその説明を省略する。
【００１７】
図３は、本実施形態のカバー部６、圧電ブザー５及び上端部分にブザー室４が形成された防虫カバー３の分解斜視図を示している。カバー部６は、図４（ａ）に示すように、カバー上面６１が完全に閉鎖されている。また、カバー部６の側面は桟になっており、桟の隙間から煙が流入できるようになっている。カバー部６内の外周付近にはカバー上面６１の裏面から突出して側壁６２が設けられており、側壁６２には等間隔に第一の音孔Ｈ１が設けられている。
【００１８】
また、ブザー室４の周壁４１には、等間隔に第二の音孔Ｈ２が設けられており、図４（ｂ）に示すように、防虫カバー３の周壁４１がカバー部の側壁６２の外側に嵌まり込むことで、カバー部内に防虫カバー３が収納される。そして、この状態において、カバー部の第一の音孔Ｈ１と防虫カバーの第二の音孔Ｈ２とは連通するようになっている。なお、第一の音孔Ｈ１及び第二の音孔Ｈ２は一辺が２ｍｍの正方形の孔であるが、この寸法形状に限定されるものではない。そして、圧電ブザー５から出力される鳴動音の大部分は、カバー上面６１の裏面で反射してブザー室４の側面に設けられた第一の音孔Ｈ１及び第二の音孔Ｈ２から外部へと放出される。
【００１９】
したがって、この火災警報器は、第一の実施形態と同様に、圧電ブザー５から出力された鳴動音がブザー室４内にこもってから外部へと放出されるため、高調音や音のざらつきを抑制することができ、聞き取り易い音声警報を発報することができる。更に、この火災警報器においては、カバー部６の側面から鳴動音を放出するため、より広い範囲に鳴動音を行きわたらせることができる。
【００２０】
なお、カバー上面６１は完全に閉鎖されることが望ましいが、音質を悪くしない程度であれば孔が設けられていてもよい。また、第一の実施形態及び第二の実施形態の火災感知器は、煙を感知することで火災検知するものであるが、火災検知の方法は煙感知に限定されるものではない。
【図面の簡単な説明】
【００２１】
【図１】本願発明の第一の実施形態である火災警報器を示す上面図。
【図２】同火災警報器を示す分解斜視図。
【図３】本願発明の第二の実施形態である火災警報器を示す分解斜視図。
【図４】同火災警報器を示す（ａ）上面図と、（ｂ）側面図。
【図５】従来例である火災警報器を示す断面図。
【符号の説明】
【００２２】
１  警報器ボディ
２  回路基板
３  防虫カバー
４  ブザー室
５  圧電ブザー
５１  鳴動部
６  カバー部
７  感知室
Ｈ  音孔
Ｈ１  第一の音孔
Ｈ２  第二の音孔
Ａ  煙感知室
Ｂ  感煙領域
Ｃ  狭領域
【図１】
2008310757.tif 000003
【図２】
2008310757.tif 000004
【図３】
2008310757.tif 000005
【図４】
2008310757.tif 000006
【図５】
2008310757.tif 000007